(57)【要約】【課題】受信装置で再生できないコンテンツもダウンロードできる受信装置を提供する。【解決手段】実施形態の受信装置３は、他の機器において再生可能なコンテンツ又は他の機器において記録可能な記録媒体の種類に関する第１の種類情報を、ネットワーク２を介して送信し、第１の種類情報に合致するコンテンツの第１の検索結果と、自己の機器において再生可能なコンテンツ又は自己の機器において記録可能な記録媒体の種類に関する第２の種類情報に合致するコンテンツの第２の検索結果とを、表示部に表示するためにネットワーク２を介して受信する。【選択図】図２
2013012937.tif 000002
【特許請求の範囲】
【請求項１】
他の機器において再生可能なコンテンツ又は前記他の機器において記録可能な記録媒体の種類に関する第１の種類情報を、ネットワークを介して送信する種類情報送信部と、
前記第１の種類情報に合致するコンテンツの第１の検索結果と、自己の機器において再生可能なコンテンツ又は前記自己の機器において記録可能な記録媒体の種類に関する第２の種類情報に合致するコンテンツの第２の検索結果とを、表示部に表示するために前記ネットワークを介して受信する検索結果受信部と、
を有することを特徴とする受信装置。
【請求項２】
前記第１の種類情報を前記他の機器から取得する種類情報取得部を有し、
前記種類情報送信部は、前記種類情報取得部により取得された前記第１の種類情報を送信することを特徴とする請求項１に記載の受信装置。
【請求項３】
前記種類情報取得部は、接続された機器間同士が認識できるインターフェースを利用して、前記第１の種類情報を前記他の機器から取得することを特徴とする請求項２に記載の受信装置。
【請求項４】
前記第１の種類情報を、前記表示部の画面上で設定する種類情報設定部を有することを特徴とする請求項１に記載の受信装置。
【請求項５】
前記第１の種類情報は、前記他の機器から設定されることを特徴とする請求項１に記載の受信装置。
【請求項６】
他の機器において再生可能なコンテンツ又は前記他の機器において記録可能な記録媒体の種類に関する第１の種類情報を、ネットワークを介して送信し、
前記第１の種類情報に合致するコンテンツの第１の検索結果と、自己の機器において再生可能なコンテンツ又は前記自己の機器において記録可能な記録媒体の種類に関する第２の種類情報に合致するコンテンツの第２の検索結果とを、表示部に表示するために前記ネットワークを介して受信することを特徴とするコンテンツ検索結果受信方法。
【発明の詳細な説明】
【技術分野】
【０００１】
本発明の実施形態は、受信装置及びコンテンツ検索結果受信方法に関する。
【背景技術】
【０００２】
近年、インターネットなどのネットワークを利用したコンテンツ配信サービスが普及している。例えば、ユーザは、コンテンツの提供を行うセンタへ、インターネットを介して接続し、コンテンツを購入あるいはレンタルすることができる。ユーザは、センタに蓄積されている多くのコンテンツの中から、購入等を希望するコンテンツを選択することによって、コンテンツをダウンロードして、ハードディスクレコーダなどに記憶させるだけでなく、ブルーレイディスク、DVD等の記録媒体に記録することもできる。
【０００３】
このようなシステムでは、ユーザが自己の受信装置で再生できないあるいは自己の受信装置で記録媒体に記録できないコンテンツの購入等を防止するために、コンテンツを蓄積しているセンタ装置のサーバと、ユーザの受信装置との間で通信を行い、ユーザの受信装置で再生ができないコンテンツを、ユーザに提供する購入画面等のGUIに表示させない等の工夫が施されている。
【０００４】
しかし、このようなユーザの誤購入等を防止する工夫がされているため、従来は、ユーザは、受信装置では再生できないが、受信装置以外の他の機器で再生可能なコンテンツであっても、ダウンロードすることはできない。
【０００５】
また、従来は、ユーザの受信装置で再生可能なコンテンツしか、購入等のリストに表示されないため、記録媒体に記録すれば、他の機器で再生可能なコンテンツの存在を、ユーザは、知ることができない場合もある。
【先行技術文献】
【特許文献】
【０００６】
【特許文献１】特開２００４−１３６６９２号公報
【発明の概要】
【発明が解決しようとする課題】
【０００７】
そこで、実施形態は、受信装置で再生できないコンテンツをダウンロードできる受信装置及びコンテンツ検索結果受信方法を提供することを目的とする。
【課題を解決するための手段】
【０００８】
実施形態の受信装置は、他の機器において再生可能なコンテンツ又は前記他の機器において記録可能な記録媒体の種類に関する第１の種類情報を、ネットワークを介して送信する種類情報送信部と、前記第１の種類情報に合致するコンテンツの第１の検索結果と、自己の機器において再生可能なコンテンツ又は前記自己の機器において記録可能な記録媒体の種類に関する第２の種類情報に合致するコンテンツの第２の検索結果とを、表示部に表示するために前記ネットワークを介して受信する検索結果受信部と、を有する。
【図面の簡単な説明】
【０００９】
【図１】実施形態に関わるコンテンツ配信システムの構成を示す構成図である。
【図２】実施形態に関わる受信装置３の構成図である。
【図３】実施形態に関わる、ユーザが設定する、ダウンロードサービスのための拡張設定画面の例を示す図である。
【図４】実施形態に関わる、センタ１と受信装置３との間で行われる、コンテンツの購入時の通信を説明するための図である。
【図５】実施形態に関わる、センタ１における購入処理の流れの例を示すフローチャートである。
【図６】実施形態に関わる、受信装置３における購入処理の流れの例を示すフローチャートである。
【図７】実施形態に関わる検索結果画面の例を示す図である。
【図８】変形例１に係る受信装置３における購入処理の流れの例を示すフローチャートである。
【発明を実施するための形態】
【００１０】
以下、図面を参照して実施形態を説明する。  
（システム構成）
図１は、実施形態に関わるコンテンツ配信システムの構成を示す構成図である。コンテンツ配信システム１００は、センタ装置（以下、センタという）１と、インターネットなどのネットワーク２を介してセンタ１と通信可能に接続された受信装置３とを含んで構成されている。
【００１１】
センタ１は、種々のコンテンツを図示しない記憶装置に記憶しており、受信装置３からの配信要求に応じて、コンテンツを配信する。受信装置３からの配信要求は、ユーザによるコンテンツの購入あるいはレンタルの指示に基づいて、センタ１に送信される。図１では、受信装置３は、１つしか示していないが、センタ１は、ネットワーク２に接続された他のユーザの受信装置とも通信可能であり、各ユーザからの配信要求に応じて、コンテンツをユーザの受信装置に配信する。
【００１２】
センタ１が配信可能な複数のコンテンツには、通常の２D映像のコンテンツすなわち２Dコンテンツだけでなく、３D映像のコンテンツすなわち３Dコンテンツも含まれている。よって、センタ１は、コンテンツによっては、通常の２D映像のコンテンツと、３D映像のコンテンツの両方を有している。さらに、３Dコンテンツには、その方式に応じた種類のコンテンツがある。ここでは、３Dコンテンツは、サイドバイサイド方式、MPEG4-MVC方式、トップアンドボトム方式などの種類があるものとする。
【００１３】
図１において点線より下の部分は、ユーザの領域であり、受信装置３は、ユーザのサイト、例えば家、に設置されている。ここでは、受信装置３は、テレビ放送を受信し、かつIP（Internet Protocol）放送も受信可能な、ハードディスクドライブ装置（以下、HDDという）を内蔵したHDDレコーダである。そのため、受信装置３には、放送受信用のアンテナ４が接続されている。さらに、受信装置３は、可搬型の記録媒体であるDVD（Digital Versatile Disk）にコンテンツを記録し、かつDVDに記録されたコンテンツの再生するための駆動部（以下、DVDDという）も有している。ユーザは、配信すなわちダウンロードされたコンテンツを内蔵HDDに記録したり、記録媒体であるDVDに記録することができる。なお、図１のHDDレコーダである受信装置３は、通常の２Dコンテンツを再生することはできるが、３Dコンテンツの再生機能を有していない。
【００１４】
受信装置３は、ルータ５を介してネットワーク２に接続されている。受信装置３は、HDMIインターフェースを介してテレビ受像機（TV）６と接続されている。ユーザは、受信装置３でアンテナ４により受信したコンテンツ、HDDに記録されたコンテンツ及びDVDに記録されたコンテンツを、テレビ受像機６で視聴することができる。さらに、受信装置３は、センタ１からコンテンツを購入するときに、センタ１との通信のためのGUI（グラフィカルユーザインターフェース）をテレビ受像機６の画面上に表示する機能も有し、ユーザは、そのGUIを利用して、所望のコンテンツの購入などの指示を行うことができる。なお、テレビ受像機６は、３Dコンテンツの再生機能を有している。
【００１５】
通信機器であるルータ５には、受信装置３の他に、ゲーム機７及びパーソナルコンピュータ（以下、PCという）８も接続され、受信装置３，ゲーム機７及びPC8は、LANで互いに接続されている。ゲーム機７は、HDMIインターフェースを介してテレビ受像機６と接続可能となっており、ユーザは、テレビ受像機６をゲーム機７のGUIとして利用することができる。
【００１６】
ゲーム機７は、ブルーレイディスク（BD）の駆動部を有し、３Dコンテンツの再生機能を有する。  
PC８には、ブルーレイディスク（BD）用のディスクドライブ装置９が接続されており、PC８は、ディスクドライブ装置９を利用して、可搬型の記録媒体であるブルーレイディスク（BD）にコンテンツデータを記録し、かつブルーレイディスク（BD）に記録された２D映像のコンテンツを再生して、PC８の画面上に表示させて視聴することもできる。但し、PC８は、３Dコンテンツの再生機能を有していない。
【００１７】
（受信装置の構成）
図２は、受信装置３の構成図である。HDDレコーダである受信装置３は、アンテナ４との接続のための接続端子１１、チューナ部１２、信号処理モジュール１３、コントローラ１４、HDD１５、DVDD１５A、操作部１６、受信部１７、通信インターフェース（以下、通信I/Fと略す）１８、２つのHDMIインターフェース（以下、HDMII/Fと略す）１９と、ルータ５との接続のための接続端子２０、テレビ受像機６との接続のための接続端子２１とを含んで構成されている。
【００１８】
チューナ部１２は、地上デジタルテレビジョン放送用のチューナ、BS/CSデジタル放送用のチューナなどの複数のチューナ１２ａ、１２ｂ、・・・を備えている。アンテナ４からの信号は、接続端子１１を介してチューナ部１２に供給され、所望のチャンネルのデジタル放送が選局可能となっている。チューナ部１２で選局された複数のデジタルテレビジョン放送信号は、OFDM（Orthogonal Frequency Division Multiplexing）復調モジュール（図示せず）に供給されて、デジタルの映像信号及び音声信号に復調された後、信号処理モジュール１３に出力される。  
信号処理モジュール１０８は、OFDM復調モジュールから供給されたデジタルの映像信号及び音声信号に対して、所定のデジタル信号処理を施す。
【００１９】
コントローラ１４は、放送信号の受信動作、及び後述するコンテンツの購入等の動作を含む全ての受信装置３における動作を制御する制御部である。コントローラ１４は、中央処理装置（以下、CPUという）１４ａ、ROM１４ｂ、RAM１４ｃ及び不揮発性メモリ１４ｄを含み、各種操作ボタンを有しユーザにより操作される操作部１６からの操作情報（各種指示）、又はユーザが操作するリモートコントローラ２２から送出され受信部１７で受信された操作情報（各種指示）を受けて、その操作内容に応じて各モジュールなどを制御する。
【００２０】
ROM１４ｂには、CPU１４ａが実行する各種処理プログラムが格納されている。RAM１４ｃは、CPU１４ａの作業エリアとしての記憶部である。不揮発性メモリ１４ｄは、各種設定情報及び制御情報などを格納する、フラッシュメモリなどの記憶装置である。
【００２１】
コントローラ１４は、HDD１５と接続されており、HDD１５へのコンテンツデータの記録及びHDD１５からのコンテンツデータの読み出しを行うことができる。
【００２２】
コントローラ１４は、接続端子２０に接続された通信I/F１８に接続されており、通信I/F１８を介してネットワーク２を介して通信を行うことができる。よって、受信装置３は、インターネットプロトコルを利用したIP放送の受信、及びセンタ１との通信を行うことができる。さらに、受信装置３は、通信I/F１８がLANにも接続されているので、LANを介して、ゲーム機７及びPC８と通信を行うこともできる。
【００２３】
コントローラ１４は、接続端子２１に接続されたHDMII/F１９と接続されており、デジタル放送のコンテンツデータ、HDD１５に記憶されているコンテンツデータ、及びDVDD１５AからDVDに記録されたコンテンツデータを、HDMII/F１９を介してテレビ受像機６に、出力することができる。ユーザは、テレビ受像機６により、これらのコンテンツを視聴することができる。
【００２４】
従って、コントローラ１４は、チューナ部１２により選局されデスクランブルされた放送信号をHDD１５に録画するための録画制御（予約録画を含む）、後述するセンタ１からのコンテンツの購入処理、等を実行することができる。これらの処理のためのプログラムは、ROM１４ｂに記憶されており、各種設定データは、不揮発性メモリ１４ｄに設定されて記憶されている。CPU１４ａは、各種操作指示に応じたプログラムを、ROM１４ａから読み出して、RAM１４ｃを作業領域として利用しながら、実行する。
【００２５】
（動作）
次に、センタ１からコンテンツを受信装置３にダウンロードする処理について説明する。
【００２６】
上述したように、HDDレコーダである受信装置３は、DVDの駆動部を有するが３Dコンテンツの再生機能を有さず、テレビ受像機６は、３D再生機能を有し、ゲーム機７は、ブルーレイディスク（BD）の駆動部を有し、かつ３Dコンテンツの再生機能を有するが、PC８は、３Dコンテンツの再生機能を有していないが、ブルーレイ（BD）用のディスクドライブ装置９が接続されている。
【００２７】
要約すると、次の通りである。  
受信装置３：３D再生機能なし、DVDの駆動部有り
テレビ受像機６：３D再生機能有り
ゲーム機７：３D再生機能有り、ブルーレイディスク（BD）の駆動部有り
PC８：３D再生機能なし、ブルーレイディスク（BD）用のディスクドライブ装置９が接続されている。
【００２８】
従来であれば、受信装置３が３Dコンテンツの再生機能を有しないため、ユーザがセンタ１からコンテンツを購入する場合、購入画面には、ユーザの受信装置３が再生可能なコンテンツのみ（すなわち２Dコンテンツのみ）がリスト表示されるので、ユーザは、他の機器、例えば、ゲーム機７では再生可能な３Dコンテンツを購入することができないし、さらにそのような３Dコンテンツの存在を知ることもできない。  
本実施形態の受信装置３では、後述する拡張設定を行うことにより、ユーザは、受信装置３以外の他の機器で再生可能な３Dコンテンツも購入することができる。
【００２９】
図３は、ユーザが設定する、ダウンロードサービスのための拡張設定画面の例を示す図である。図３の画面は、コントローラ４の処理によって生成される画面である。よって、図３の画面を生成するコントローラ４は、他の機器において再生可能なコンテンツ又は他の機器において記録可能な記録媒体の種類に関する種類情報を、テレビ受像機６の表示部である画面上に表示させ、その画面上でその種類情報をユーザに設定させる種類情報設定部を構成する。  
ユーザがリモコン２２等を用いて所定の操作を行うことによって、受信装置３に対して拡張設定の指示をすると、受信装置３は、図３に示す拡張設定画面のデータを生成してテレビ受像機６に出力し、拡張設定画面がテレビ受像機６の画面に表示される。拡張設定画面３１は、通常の２Dコンテンツ以外のコンテンツを、ここでは３Dコンテンツを、購入対象として設定を行うための表示部３２と、通常の記録媒体以外の記録媒体を、ここではブルーレイディスク（BD）とSDメモリを、購入コンテンツの記録媒体として設定を行うための表示部３３を含む、GUIである。ユーザは、表示部３２と３３の少なくとも一方を設定することができる。
【００３０】
拡張設定画面３１は、設定内容を確定して不揮発性メモリ１４ｄに記憶させる処理を実行させるための「決定」ボタン３４と、設定内容を不揮発性メモリ１４ｄに記憶させないで、設定操作を終了させる処理を実行させるための「キャンセル」ボタン３５も含む。よって、ユーザは、表示部３２，３３で設定を行った後、「決定」ボタン３４を選択することにより、拡張設定の内容を受信装置３に設定することができる。
【００３１】
ユーザは、図示しないカーソルをリモコン２２の矢印キーを操作して画面上で所望の位置に移動させ、リモコン２２上の「決定」ボタンを押下することによって、拡張設定画面３１上の各設定項目についての設定を行う。図３は、表示部３２において、３Dコンテンツについては「有り」を選択し、３Dコンテンツの中では、MPEG4-MVC方式が選択され、サイドバイサイド方式とトップアンドボトム方式が選択されていない、状態を示している。
【００３２】
なお、図３のGUIでは、ユーザが、３Dコンテンツについて「有り」を選択した場合のみ、３つの方式の選択ができ、３Dコンテンツについて「無」を選択した場合は、ユーザは、３Dの３つの方式の選択をできないようになっている。
【００３３】
図３は、記録媒体の表示部３４では、ブルーレイディスク（BD）については「有り」が選択され、SDカードについては「無」が選択されている、状態を示している。図３で設定された拡張設定情報は、不揮発性メモリ１４ｄの所定の記憶領域に記憶される。  
以下、ユーザが図３に示す設定を行っていたとして、コンテンツの購入を行う場合を説明する。
【００３４】
なお、図３で設定した拡張設定を有効とするか否かをユーザは、指定あるいは設定できるようになっている。拡張設定の有効あるいは無効は、図３の画面においてユーザが設定できるようになっていてもよいし、あるいは別の画面で、拡張設定の有効あるいは無効が設定できるようにしてもよい。すなわち、ユーザは、図３で設定した拡張設定を利用して、コンテンツを購入するのか、あるいは拡張設定を利用しないでコンテンツを購入するのかを、受信装置３に設定できるようになっている。ユーザによる、拡張設定を有効とするあるいは無効とする情報は、不揮発性メモリ１４ｄの所定の記憶領域１４ｅに記憶される。  
よって、所定の記憶領域１４ｅは、他の機器の種類情報の送信を有効とするか否かを設定する種類情報送信有効設定部を構成する。例えば、記憶領域１４ｅに、フラグ「１」が設定されているときは、他の機器の種類情報の送信を有効とし、フラグ「０」が設定されているときは、他の機器の種類情報の送信を無効とする。
【００３５】
図４は、センタ１と受信装置３との間で行われる、コンテンツの購入時の通信を説明するための図である。ユーザは、センタ１のコンテンツ配信サービスを利用する場合、まず、受信装置３をセンタ１に接続するための操作を行う。すなわち、受信装置３からセンタ１へ、コンテンツ配信サービスのための接続要求を送信する（S1）。  
センタ１は、受信装置３からの接続要求を受信すると、センタ１と受信装置３との間で所定の認証処理を実行する（S2）。
【００３６】
ユーザ認証の結果、正しく認証されると、受信装置３は、拡張設定の無効が指定あるいは設定されている場合（すなわち拡張設定の有効が指定あるいは設定されていない場合）は基本設定情報のみをセンタ１に送信し、拡張設定の有効が指定あるいは設定されている場合は基本設定情報と拡張設定情報とを、センタ１に送信する（S3）。
【００３７】
基本設定情報は、受信装置３が対応可能あるいは再生可能なコンテンツの種類と、受信装置３で記録可能な記録媒体の種類に関する種類情報である。  
拡張設定情報は、図３の画面により設定された、受信装置３以外の他の機器で再生可能なコンテンツの種類と他の機器で記録可能な記録媒体の種類に関する種類情報である。
【００３８】
センタ１は、受信装置３からの基本設定情報（あるいは基本設定情報及び拡張設定情報）を受信すると、購入コンテンツの検索処理を実行し、その後、その検索結果の送信処理を実行する（S4）。検索処理においては、受信装置３からの基本設定情報（あるいは基本設定情報及び拡張設定情報）を検索条件として、その検索条件に合致するコンテンツを検索して、その検索結果を受信装置３へ送信する。なお、検索処理には、センタ１が蓄積する多くのコンテンツの中からユーザが購入を希望するコンテンツを検索するための検索画面の送信も含まれる。
【００３９】
検索結果は、受信装置３に接続されたテレビ受像機６の画面上に、検索により抽出されたコンテンツの情報を表示する検索結果画面として送信される。  
検索結果画面は、タイトル及び種類別の金額等を含むコンテンツの情報を、リスト形式で表示し、ユーザが、購入を希望するコンテンツを指定することにより、センタ１へ購入指示ができるGUIである。よって、その検索結果画面上で購入するコンテンツをユーザが選択して購入を指示すると、受信装置３は、センタ１へ購入指示の情報を送信する（S5）。
【００４０】
すなわち、受信装置３から基本設定情報だけが送信されると（S3）、センタ１では、その基本設定情報に合致するコンテンツのみが抽出される。また、受信装置３から基本設定情報と拡張設定情報とが送信されると（S3）、センタ１では、その基本設定情報又は拡張設定情報に合致するコンテンツが検索において抽出される。
【００４１】
例えば、図３に示すようにユーザが拡張設定を行うと、センタ１からは、３Dコンテンツとブルーレイディスク（BD）も含めて検索して、その検索結果が受信装置３へ送信されるので、ユーザは、受信装置３以外の他の機器で再生可能なコンテンツを購入することが可能である。  
図４は、サービスのための接続から購入指示の送信までの処理を示すが、その後、購入コンテンツは、ネットワーク２を介してセンタ１から受信装置３へダウンロードされる。
【００４２】
図４の処理について、さらに詳しく説明する。  
図５は、センタ１における購入処理の流れの例を示すフローチャートである。  
センタ１では、受信装置３からの接続要求を受信すると、接続処理を実行する（S11）。センタ１は、受信装置３との接続処理が終了すると、受信装置３の認証処理を実行し（S12）、接続した受信装置３の認証が適切になされると、受信装置３から送信された基本設定情報（あるいは基本設定情報及び拡張設定情報）を受信する（S13）。
【００４３】
センタ１は、認証された受信装置３からの各種検索コマンドに応じて、コンテンツの検索処理を実行し、その検索結果を、受信装置３へ送信する検索結果送信処理を実行する（S14）。
【００４４】
検索処理では、センタ１は、受信装置３の自己の機器情報である基本設定情報だけが送信されてきたときは、その基本設定情報に適合するコンテンツのみを検索する。受信装置３から基本設定情報及び拡張設定情報が送信されてきたときは、その受信装置３の基本設定情報及び拡張設定情報に適合するコンテンツが検索される。
【００４５】
よって、上記の例の場合、受信装置３から基本設定情報のみが送信されてきたときは、センタ１は、受信装置３が再生可能な２Dコンテンツであって、受信装置３で利用可能な記録媒体であるDVDに記録できるコンテンツのみを抽出して、検索結果として、受信装置３へ送信する。  
また、受信装置３から基本設定情報及び拡張設定情報が送信されてきたときは、センタ１は、DVDに記録できる２Dコンテンツだけでなく、MPEG4-MVCの３Dコンテンツであって、ブルーレイディスク（BD）に記録できるコンテンツも、検索結果に含めて、受信装置３へ送信する。
【００４６】
検索結果は、検索結果画面として、センタ１から受信装置３へ送信される（S14）。例えば、このS14のコンテンツ検索処理と検索結果送信処理は複数回実行され、結果として、ユーザは、所望のコンテンツを探し出すことができる。
【００４７】
ユーザは、センタ１から送信された検索結果画面をみて、購入を希望するコンテンツを選択するので、その選択結果の情報を受けて、センタ１は、ユーザから指定されたコンテンツの購入処理を実行する（S15）。  
センタ１は、購入処理が適切に実行されると、購入コンテンツを送信する（S16）。
【００４８】
次に、受信装置３の動作について説明する。図６は、受信装置３における購入処理の流れの例を示すフローチャートである。  
受信装置３では、ユーザがコンテンツ配信サービスを利用するために、センタ１への接続指示を入力されると、センタ１への接続処理を実行する（S21）。その受信装置３における接続処理(S21)に対応して、センタ１において、上述した接続処理（S11）が実行される。
【００４９】
受信装置３は、センタ１からの認証処理（S12）に対応して認証処理を実行する（S22）。この認証処理では、受信装置３における識別子（ID）とパスワードの入力及び送信処理が実行される。
【００５０】
センタ１においてユーザ認証が適切になされると、受信装置３は、拡張設定が有効であるか否かを判定する（S13）。上述したように、ユーザは、拡張設定を有効にするあるいは無効にする設定あるいは指定を予め行うことができるので、受信装置３は、その拡張設定の有効あるいは無効の情報を、不揮発性メモリ１４の所定の記録領域から読み出し、拡張設定が有効であるか否かを判定する。
【００５１】
拡張設定が有効でないときは（S23:NO）、受信装置３は、基本設定情報を送信する（S24）。  
拡張設定が有効であるときは（S23:YES）、受信装置３は、基本設定情報及び拡張設定情報を送信する（S25）。図３の設定の場合、受信装置３自体で再生可能である２DコンテンツであってDVDの記録メディアに記憶可能であるコンテンツと、受信装置３以外の他の機器において、３Dコンテンツ（ここでは、MPEG4-MVC方式のものに限る）が再生可能であり、かつブルーレイディスク（BD）に記録可能であるコンテンツとが、購入コンテンツの対象であるとする設定情報が、受信装置３からセンタ１へ送信される。
【００５２】
記憶領域１４ｅに「１」が設定されている場合は、他の機器の種類情報と受信装置３の種類情報が送信され、記憶領域１４ｅに「０」が設定されている場合は、他の機器の種類情報は送信させず受信装置３の種類情報のみが送信される。
【００５３】
よって、S25の処理が、ゲーム機７等の他の機器において再生可能なコンテンツ又は他の機器において記録可能な記録媒体の種類に関する種類情報を、ネットワーク２を介して送信する種類情報送信部を構成する。
【００５４】
その後、センタ１からコンテンツを検索するためのGUIが、受信装置３に送信されて、テレビ受像機６の画面上に表示され、ユーザは、そのGUIを利用して、購入したいコンテンツの検索をセンタ１に実行させるコンテンツ検索処理を実行し、その検索結果を受信する。すなわち、受信装置３は、センタ１と通信しながら、検索処理を実行する（S26）。
【００５５】
よって、S26の処理が、他の機器で再生可能なコンテンツ又は他の機器で記録可能な記録媒体の種類に関する種類情報に合致するコンテンツの第１の検索結果と、受信装置３において直接再生可能なコンテンツ又は受信装置３において直接記録可能な記録媒体の種類に関する種類情報に合致するコンテンツの第２の検索結果とを、テレビ受像機６の表示部である画面に表示するために、ネットワーク２を介して受信する検索結果受信部を構成する。
【００５６】
図７は、検索結果画面の例を示す図である。図７は、上記例において、拡張設定が有効である場合の検索結果を示す。  
図７の検索結果画面４１は、検索結果として、タイトルが「○○○物語」のコンテンツが抽出されて、そのタイトルの購入の選択肢が、４つあることを示している。具体的には、購入画面４１は、タイトル表示部４２と、コンテンツリスト表示部４３と、「キャンセル」ボタン４４を含んでいる。
【００５７】
タイトル表示部４２は、検索により抽出されたコンテンツのタイトルを表示する表示部である。  
コンテンツリスト表示部４３は、抽出されて購入可能なコンテンツをリスト形式で表示する表示部である。コンテンツリスト表示部４３は、購入可能なコンテンツ毎に、その種類を示す種類表示部４３ａ、金額を示す金額表示部４３ｂ、及び購入を指定する「購入」ボタン４３ｃを含む。
【００５８】
ユーザが図３に示すような拡張設定を行ったため、２DコンテンツのDVD用のコンテンツだけでなく、２Dコンテンツのブルーレイディスク（BD）及び３Dコンテンツも、検索結果に含まれている。特に、３Dコンテンツについては、拡張設定で指定した方式、ここではMPEG4-MVC方式のものが、リスト中に含まれている。
【００５９】
また、検索結果画面４１には、拡張設定においても設定されていなかった、サイドバイサイド方式の３Dコンテンツ、トップアンドボトム方式の３Dコンテンツ、及びSDカードのコンテンツも含まれているが、購入できないことを示すようにグレーアウト表示されており（図７では斜線で示されている）、かつ選択できないようになっている。
【００６０】
よって、ユーザは、コンテンツリスト表示部４３に表示されているコンテンツの中から、受信装置３が利用可能なDVDに記録できるコンテンツだけでなく、記録媒体としてブルーレイディスク（BD）及び３Dコンテンツも、選択して購入することができる。
【００６１】
なお、検索結果画面４１には、拡張設定においても設定されていなかったサイドバイサイド方式の３Dコンテンツ、トップアンドボトム方式の３Dコンテンツ、及びSDカードのコンテンツがグレーアウト表示されて含まれているが、拡張設定においても設定されていない対象については、表示しないようにしてもよい。
【００６２】
ユーザが図７の検索結果画面４１において購入を希望するコンテンツに対応する「購入」ボタンを選択することにより、受信装置３は、そのコンテンツの購入指示を送信する購入処理を実行する（S27）。その後、センタ１からの購入コンテンツのダウンロードが行われる（S28）。ダウンロードされた購入コンテンツは、受信装置３のHDD１５に記憶される。なお、「キャンセル」ボタン４４は、図７の画面に表示されているコンテンツについての購入操作を終らせる処理を実行させるためのボタンである。
【００６３】
図１に示す機器環境を有するユーザは、MPEG4-MVC方式の３Dコンテンツを購入してダウンロードした後、PC８を利用して、購入コンテンツを、HDDレコーダである受信装置３からブルーレイディスク（BD）用のディスクドライブ装置９に転送して、ディスクドライブ装置９によりブルーレイディスク（BD）に記録するすなわち焼くことができる。そして、ユーザは、その購入コンテンツが記録されたブルーレイディスク（BD）を、ゲーム機７を用いて再生して、テレビ受像機６にて視聴することができる。
【００６４】
以上のように、ユーザは、受信装置３で再生できなくても、他の機器で再生可能なコンテンツ、例えば受信装置３では３Dコンテンツが再生できなくても、ゲーム機７等の他の機器で再生できる３Dコンテンツを、受信装置３にダウンロードすることができる。
【００６５】
従って、上述した実施形態の受信装置によれば、その受信装置で再生できないコンテンツもダウンロードすることができる。
【００６６】
（変形例１）
上記の例では、ユーザがテレビ受像機６の画面上でマニュアルで拡張設定を設定しているが、拡張設定は自動で行われるようにしてもよい。  
受信装置３とテレビ受像機６は、HDMIケーブルで接続されているため、受信装置３は、テレビ受像機６が対応可能あるいは再生可能なコンテンツの種類情報と、テレビ受像機６で記録可能なメディアの種類情報を、取得することができる。よって、受信装置３は、拡張設定情報を、HDMIの機能を利用して、取得して自動的に設定するようにしてもよい。
【００６７】
図８は、変形例１に係る受信装置３における購入処理の流れの例を示すフローチャートである。図８において、図６の処理と同じ処理については、同じステップ番号を付して説明は省略する。受信装置３は、拡張設定が有効と判断されたとき（S23:YES）、HDMI接続されている機器から、再生可能なコンテンツの種類情報と、利用可能な記録媒体の種類情報を含む拡張設定情報を取得する（S31）。
【００６８】
図１の場合、受信装置３とHDMIケーブルで接続されているのは、テレビ受像機６だけであるので、受信装置３は、テレビ受像機６が３Dコンテンツを再生する機能を有するという情報を取得することができる。S31では、接続された機器間同士が認識できるインターフェースであるHDMIを利用して、他の機器において再生可能なコンテンツ又は他の機器において記録可能な記録媒体の種類に関する種類情報が他の機器から取得される。
【００６９】
そして、受信装置３は、基本設定情報と、テレビ受像器６からHDMIを利用して取得した拡張設定情報をセンタ１へ送信する（S25）。よって、S31は、他の機器において再生可能なコンテンツ又は他の機器において記録可能な記録媒体の種類に関する種類情報を、他の機器から取得する種類情報取得部を構成する。そして、S31において取得された種類情報が、送信される。
【００７０】
従って、本変形例１によっても、受信装置３は、拡張設定されたコンテンツをダウンロードすることができる。  
なお、受信装置３、ゲーム機７及びPC８が、DNLA（Digital Living Network Alliance）、UPnP（Universal Plug and Play）等の共通の通信プロトコルに対応している場合も、そのプロトコルを利用して、受信装置３は、再生可能なコンテンツの種類情報と、利用可能な記録媒体の種類情報を含む拡張設定情報を取得するようにすれば、受信装置３は、他の機器から拡張設定情報を取得することができる。
【００７１】
（変形例２）
上述した実施形態及び変形例１では、拡張設定情報の設定は、受信装置３を用いて行われているが、LANで接続された他の機器を用いて、LAN経由で、拡張設定情報を受信装置３に設定するようにしてもよい。
【００７２】
例えば、受信装置３がLANを介して、PC８から所謂ウエブブラウザを用いて設定できるように構成することによって、ユーザは、PC８を利用して拡張設定を行うことが可能となる。
【００７３】
なお、上述した実施形態及び各変形例においては、受信装置がHDDレコーダである例で説明したが、受信装置は、コンテンツ放送受信可能なセットトップボックスでもよいし、あるいは映像のコンテンツをダウンロードできる携帯型のオーディオプレーヤなどでもよい。
【００７４】
さらになお、上述した実施形態及び各変形例においては、ユーザがコンテンツを購入する例に挙げて説明したが、コンテンツをレンタルのためにダウンロードするシステムにも、上述した実施形態の受信装置は、適用することができる。  
従って、上述した実施形態及び各変形例によれば、その受信装置で再生できないコンテンツもダウンロードすることができる受信装置及びコンテンツ検索結果受信方法を実現することができる。
【００７５】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００７６】
１  センタ装置、２  ネットワーク、３  受信装置、４  アンテナ、５  ルータ、６  テレビ受像機、７  ゲーム機、８  PC、９  ブルーレイディスクのドライブ装置、１１、２０、２１  接続端子、１２  チューナ部、１２ａ、１２ｂ、・・・  チューナ、１３  信号処理モジュール、１４  コントローラ、１４ａ  CPU、１４ｂ  ROM、１４ｃ  RAM、１４ｄ  不揮発性メモリ、１５  HDD、１５A  DVD駆動部、１６  操作部、１７  受信部、１８  通信I/F、１９  HDMII/F、２２  リモコン、１００  コンテンツ配信システム
【図１】
2013012937.tif 000003
【図２】
2013012937.tif 000004
【図３】
2013012937.tif 000005
【図４】
2013012937.tif 000006
【図５】
2013012937.tif 000007
【図６】
2013012937.tif 000008
【図７】
2013012937.tif 000009
【図８】
2013012937.tif 000010